(57)【要約】      （修正有）【課題】一匹毎の首輪に係止される複数のリード紐を一個の係留金具にまとめて係止し、且つリード紐が絡み合うこと無く複数のペットを散歩させることができ、手元には一本の引き紐で簡単に操作できるペット係留具を提供する。【解決手段】複数の動物の首輪に取り付けたリード紐５をまとめる係留具１であって、引き紐２と係留金具３と複数のキーリング４から構成され、係留金具３は、中空状の軸部３ａの片方の端部にフランジ３ｄ，３ｅが形成され、他方の端部に形成されたフック３ｃの先端と軸部３ａとの間に開口部３ｂを形成し、開口部３ｂを開閉するための可動ピン３ｆを有し、複数のキーリング４は、リード紐５を係止して係留金具３のフック３ｃに取付けられ、更に引き紐２は、係留金具３のフランジ３ｄ，３ｅの間に回転自在に係止された係止環３ｋに取付けられることを特徴とするペット係留具。【選択図】図１
0003163755.tif 000002
【実用新案登録請求の範囲】
【請求項１】
複数の動物の其々の首輪に取り付けたリード紐を一つにまとめる係留具であって、
引き紐と係留金具と複数のキーリングから構成され、
前記係留金具は、片方の端部にフランジが二重に形成された中空状の軸部と、該軸部の他方の端部に鉤状に形成されたフックと、該フックの先端と対向する前記軸部の対向面との間に開口部を形成し、該開口部を開閉するため前記中空状の軸部に嵌入され軸方向に移動可能に取付けられた可動ピンとを有し、
前記複数のキーリングは、前記リード紐を係止して前記係留金具の前記フックに取付けられ、
更に前記引き紐は、前記係留金具の二重に形成された前記フランジの間に回転自在に係止された係止環に取付けられることを特徴とするペット係留具。
【請求項２】
前記可動ピンが、同じく前記中空状の軸部に嵌入されたスプリングに抗して前記開口部を開口することを特徴とする請求項１記載のペット係留具。
【考案の詳細な説明】
【技術分野】
【０００１】
本考案は、飼い犬などのペットを数匹一緒に散歩させるための係留具であって、首輪に係止されたリード紐をまとめて係留具の環状部材に繋ぎ留めるためのペット係留具に関する。
【背景技術】
【０００２】
従来のペット係留具は、飼い犬などのペットを数頭一緒に散歩させる際、図４に示すように夫々のペットに首輪や胴ベルト６を装着させ、着脱可能なリード紐５を取り付けて集団で散歩させるのが一般的である。ペットに使用されている市販の首輪や胴ベルト６には、殆どＤ環６ａと呼ばれるリングが付属し、そのＤ環６ａに着脱自在に連結するナスカン５ａと呼ばれている係留具が取り付けられたリード紐５によって、夫々のペットの動きを制御しながら散歩させている。
【０００３】
例えば、動物の首輪や胴ベルト等に取り付けられた環状部材を容易に係止することができる動物用係留具が開示されている（例えば、特許文献１を参照）。
【０００４】
また、例えば大型のペットを散歩させる際、ペットのリード紐を肩に掛けたり、短めに持ったり、或いは車内に係留できるなどの簡単な構造で多用途に使用できるペットのリード紐が開示されている（例えば、特許文献２を参照）。
【先行技術文献】
【特許文献】
【０００５】
【特許文献１】特開２００２−３１５４６４号公報
【特許文献２】特開平９−１１７２３２号公報
【考案の概要】
【考案が解決しようとする課題】
【０００６】
しかし、飼い犬などのペットを数匹一緒に散歩させる際、従来のペット係留具に備えられたリード紐は一匹毎の首輪に係止されているため、引き連れる頭数分のリード紐を手に持って散歩すると、ペットの勝手気ままな動きによりリード紐が複雑に絡まり合ってしまい、その都度リード紐を解く手間が発生する問題があった。
【０００７】
本考案は上述した課題に着目して成されたもので、一匹毎の首輪に係止されているリード紐の内、数匹を一個のペット係留具にまとめて係止し、且つリード紐が絡み合うことなく複数のペットを散歩させることができ、手元には一本の引き紐で簡単に操作できるペット係留具を提供することを目的とする。
【課題を解決するための手段】
【０００８】
本考案は上記の目的を達成するため、以下（１）、（２）の構成を備えるものである。
【０００９】
（１）複数の動物の其々の首輪に取り付けたリード紐を一つにまとめる係留具であって、引き紐と係留金具と複数のキーリングから構成され、前記係留金具は、片方の端部にフランジが二重に形成された中空状の軸部と、該軸部の他方の端部に鉤状に形成されたフックと、該フックの先端と対向する前記軸部の対向面との間に開口部を形成し、該開口部を開閉するため前記中空状の軸部に嵌入され軸方向に移動可能に取付けられた可動ピンとを有し、前記複数のキーリングは、前記リード紐を係止して前記係留金具の前記フックに取付けられ、更に前記引き紐は、前記係留金具の二重に形成された前記フランジの間に回転自在に係止された係止環に取付けられることを特徴とするペット係留具。
【００１０】
（２）前記可動ピンが、同じく前記中空状の軸部に嵌入されたスプリングに抗して前記開口部を開口することを特徴とする前記（１）記載のペット係留具。
【考案の効果】
【００１１】
本考案によれば、飼い犬などのペットを数匹一緒に散歩させる際、一匹毎の首輪に係止される引き紐を一個の係留金具にまとめて係止し、且つリード紐が絡み合うことなくペットを散歩させることができ、手元には一本の引き紐で簡単にペットを誘導し操作することができるペット係留具を提供できる。
【図面の簡単な説明】
【００１２】
【図１】本考案に係るペット係留具の構成図
【図２】(ａ)本考案に係るペット係留具の係留金具の構成図、（ｂ）係留金具の側面図
【図３】本考案に係るペット係留具の使用例を示す図
【図４】従来のペット係留具を示す図
【考案を実施するための形態】
【００１３】
以下、本考案を実施するための形態を、図面により詳しく説明する。
【実施例１】
【００１４】
図１は本考案のペット係留具の構成で、ペット係留具１は係留金具３の軸部３ａの一端に形成されたフランジ３ｄ，３ｅの間に回転可能に取り付けられた係止環３ｋに、手元の長さの調整が可能な引き紐部２の一端が取り付けられ、また、レバー３ｇで開閉可能な可動ピン３ｆによって開口部３ｂが閉じられた係留金具３のフック３ｃに、ペットのリード紐５を取り付ける二個のキーリング４ａ，４ｂから構成されている。
【００１５】
フック３ｃに係止されたキーリング４ａ，４ｂは、その環状構造によりフック３ｃに沿ってほぼ３６０度の自由度を持つため、夫々のペットの動きを拘束することなく自由に行動させる機能を備えている。尚、キーリング４は複数個装着可能であり本考案を限定するものではない。
【００１６】
図２(ａ)，図２（ｂ）に示すペット係留具１が具備する係留金具３の構造は、棒状の軸部３ａの一端に鉤状に形成されたフック３ｃの先端部と軸部３ａとの間に開口部３ｂを形成し、フック３ｃの先端と対向する軸部３ａの対向面には軸方向に中空部が形成されている。この中空構造の軸部３ａには、閉鎖バネ３ｊの弾性によって可動ピン３ｆを移動可能に嵌入してフック３ｃの開口部３ｂを開閉し、その可動ピン３ｆの開閉操作を行うレバー３ｇと、該レバー３ｇを軸方向に移動させるため中空構造の軸部３ａに形成されたガイド溝３ｈを備えている。可動ピン３ｆは、中空構造の軸部３ａの中に設置された閉鎖バネ３ｊの抗力によって、開口部３ｂを常に閉鎖する方向に付勢される。
【００１７】
この係留金具３のフック３ｃには、閉鎖バネ３ｊによって付勢されている可動ピン３ｆを開閉することでキーリング４ａ，４ｂを係止、または係止を解除できる構造となっている。この係留金具３にキーリング４ａ，４ｂを係止する場合は、可動ピン３ｆのレバー３ｇを閉鎖バネ３ｊの付勢力に抗して指で操作することにより、可動ピン３ｆを移動させて開口部３ｂを開口させてフック３ｃにキーリング４ａ，４ｂを取り付ける。その後で指をレバー３ｇから離すと可動ピン３ｆが移動して開口部３ｂを閉鎖し、キーリング４ａ，４ｂはフック３ｃに係止される。
【００１８】
また、係留金具３の軸部３ａの端部に形成された二重のフランジ３ｄ，３ｅには、そのフランジ間の溝に係止環３ｋが回転自在に取り付けられ、更にその係止環３ｋには引き紐部２を係止する環状部を有することで、係留金具３の軸部３ａは、手元で固定される引き紐部２に係止された係止環３ｋに拘束されることなく自在に回転する機能を備えている。
【００１９】
本考案は、この係留金具３の二重フランジ３ｄ，３ｅと係止環３ｋで構成される回転自在な機能と、フック３ｃに取付けられた二個のキーリング４ａ，４ｂの自在な動きによって、二匹のペットの気ままな動きに対し、リード紐５が絡み合うことなく二匹を係留金具３にまとめて係留し、ペットを散歩させることができるペット係留具１を実現するものである。
【００２０】
図３はペット係留具１の使用例で、二匹のペットの首輪や胴ベルト６に付属する環状部材のＤ環６ａに直接或いはナスカン５ａで係止したリード紐５は、二匹の動きがお互いのストレスに成らない程度に短く設定され、リード紐５の片方の端部５ｂを夫々キーリング４ａ，４ｂに取り付け、その二個のキーリング４を係留金具３に取り付けることで、二匹のペットが一対と成ってペット係留具１に係留される。
【００２１】
二匹のペットの気ままな動きに対し夫々のリード紐５ａ，５ｂが取り付けられたキーリング４ａ，４ｂの自在な動きにより、リード紐５が短くてもペットはストレスを感じること無く自由に動くことができる。ペットの動きがリード紐５を絡まるように入れ替わっても、係留金具３の二重のフランジ３ｄ，３ｅの間に取り付けられた係止環３ｋの回転自在な機能により、係留金具３の軸部３ａがペットの動きに対応して回転しリード紐５が絡み合うことを防止している。
【００２２】
例えリード５が絡み合った場合でも、引き紐２が取り付けられている係止環３ｋを保持した状態で、係留金具３の軸部３ａを回転させれば絡まったリード紐５を解くことが簡単にできる。
【００２３】
ペットの数が多くても、キーリング４を追加するか、或いは二匹のペットを対にして係留したペット係留具１を複数段の構成にすることで、手元には一本の引き紐部２にまとめることもできる。
【００２４】
以上、飼い犬などのペットを数匹一緒に散歩させる際、一匹毎の首輪に係止されるリード紐の内、複数のリード紐を一個のペット係留具にまとめて係止し、且つリード紐が絡み合うこと無くペットを散歩させることができ、手元には一本の引き紐で簡単にペットを誘導し操作することが可能なペット係留具を提供することができる。
【符号の説明】
【００２５】
１    ペット係留具
２    引き紐
３    係留金具
３ａ  軸部
３ｂ  開口部
３ｃ  フック
３ｄ  フランジ
３ｅ  フランジ
３ｆ  可動ピン
３ｇ  レバー
３ｈ  ガイド溝
３ｊ  閉鎖バネ
３ｋ  係止環
４    キーリング
５    リード紐
５ａ  ナスカン
６    首輪或いは胴ベルト
６ａ  Ｄ環
【図１】
0003163755.tif 000003
【図２】
0003163755.tif 000004
【図３】
0003163755.tif 000005
【図４】
0003163755.tif 000006